(57)【特許請求の範囲】
【請求項１】
静電容量方式タッチパネルの誘導回路層、および駆動回路層に、それぞれ接続される誘導回路接続領域（５）、および駆動回路接続領域（６）を備え、前記誘導回路接続領域（５）と前記駆動回路接続領域（６）は、それぞれ、前記誘導回路層、および前記駆動回路層に嵌合して接続する複数の接点（９）を有する静電容量方式タッチスクリーンのＦＰＣであって、
前記誘導回路接続領域（５）と前記駆動回路接続領域（６）は、互いに平行に設置されるか、又は同一の直線上に位置しており、
前記誘導回路接続領域（５）と前記駆動回路接続領域（６）との間の接続領域にＩＣ駆動チップ（４）が設置され、  折り曲げ領域（１０）は、前記接続領域内に、前記ＩＣ駆動チップ（４）に近接して置かれ、
前記ＩＣ駆動チップ（４）は、前記静電容量方式タッチパネルの前記誘導回路層と前記駆動回路層とに、それぞれ、前記誘導回路接続領域（５）と前記駆動回路接続領域（６）とを介して接続され、
前記ＦＰＣを前記静電容量方式タッチスクリーンへ組み込む時には、前記誘導回路接続領域（５）又は前記駆動回路接続領域（６）のうちの一方を、前記誘導回路層または前記駆動回路層の一方に接続し、前記折り曲げ領域（１０）内の折り曲げ箇所（１１）で前記ＦＰＣを折り曲げて、前記誘導回路接続領域（５）又は前記駆動回路接続領域（６）のうちの他方を前記誘導回路層、又は前記駆動回路層の他方に接続できるように、前記駆動回路接続領域（６）又は前記誘導回路接続領域（５）の一方に向かって反転させることを特徴とする静電容量方式タッチスクリーンのＦＰＣ。
【請求項２】
前記折り曲げ領域（１０）は、前記接点（９）を有しないことを特徴とする請求項１に記載の静電容量方式タッチスクリーンのＦＰＣ。
【請求項３】
前記ＦＰＣを折り曲げる前の状態では、前記誘導回路接続領域（５）と前記駆動回路接続領域（６）の側辺のうち、前記接点（９）が設置された側辺は同一直線上に位置し、前記接点（９）が設置されていない側辺は、前記接点（９）が設置された前記側辺以外の辺の別の線上に位置することを特徴とする請求項１に記載の静電容量方式タッチスクリーンのＦＰＣ。
【請求項４】
前記誘導回路接続領域（５）又は前記駆動回路接続領域（６）を反転した後、前記誘導回路接続領域（５）と前記駆動回路接続領域（６）は垂直になることを特徴とする請求項１〜３のいずれか一項に記載の静電容量方式タッチスクリーンのＦＰＣ。
【請求項５】
請求項１〜４のいずれか一項に記載の前記ＦＰＣを前記静電容量方式タッチパネルに実装する実装方法であって、
前記誘導回路接続領域（５）と前記駆動回路接続領域（６）との間の接続領域にＩＣ駆動チップ（４）が設置され、
前記折り曲げ領域（１０）は、前記接続領域内に、前記ＩＣ駆動チップ（４）に近接して配置され、
前記ＩＣ駆動チップ（４）は、前記静電容量方式タッチパネルの前記誘導回路層と前記駆動回路層とに、それぞれ、前記誘導回路接続領域（５）と前記駆動回路接続領域（６）とを介して接続され、
前記ＦＰＣの前記誘導回路接続領域（５）又は前記駆動回路接続領域（６）を、前記静電容量方式タッチスクリーンの前記静電容量方式タッチパネルの前記誘導回路層又は前記駆動回路層に接続するように一体に圧着するステップ（ａ）と、
圧着していない前記駆動回路接続領域（６）又は前記誘導回路接続領域（５）を、前記誘導回路接続領域（５）又は前記駆動回路接続領域（６）の方へ、折り曲げ領域（１０）内に位置する折り曲げ箇所（１１）で反転させるステップ（ｂ）と、
反転した後の前記駆動回路接続領域（６）又は前記誘導回路接続領域（５）を、前記静電容量方式タッチパネルの前記駆動回路層又は前記誘導回路層に接続するように一体に圧着することで、前記ＦＰＣの実装を完了するステップ（ｃ）と、を含むことを特徴とする実装方法。
【請求項６】
前記ステップ（ａ）の前に、前記誘導回路接続領域（５）及び前記駆動回路接続領域（６）を平坦化するステップをさらに含むことを特徴とする請求項５に記載の実装方法。
【請求項７】
前記ステップ（ａ）において、前記誘導回路接続領域（５）と前記駆動回路接続領域（６）の側辺のうち、前記接点（９）が設置された側辺は同一直線上に位置し、前記接点（９）が設置されていない側辺は、前記接点（９）が設置された前記側辺以外の辺の別の線上に位置することを特徴とする請求項５に記載の実装方法。
【発明の詳細な説明】
【技術分野】
【０００１】
本発明は、フレキシブル回路基板に関し、特に静電容量方式タッチスクリーンのＦＰＣ及びその実装方法に関する。
【背景技術】
【０００２】
図１に示すように、従来の静電容量方式タッチスクリーンの構造は、主に静電容量方式タッチパネル１’とフレキシブル回路基板２’とを含み、前記フレキシブル回路基板２’の上方にカバープレート３’を被せている。前記静電容量方式タッチパネル（ｓｅｎｓｏｒ）は、絶縁透明基板、誘導回路層及び駆動回路層を含む。前記絶縁透明基板は、ガラス又はプラスチック薄膜から一つ選択され、前記誘導回路層は、誘導回路接続領域を有する透光性導電薄膜又はガラスであり、前記駆動回路層は、駆動回路接続領域を有する透光性導電薄膜又はガラスであり、かつ前記駆動回路層と誘導回路層は、それぞれ、前記絶縁透明基板の両側に積層して設置される。前記フレキシブル回路基板は、フレキシブル基板又はＦＰＣ（Ｆｌｅｘｉｂｌｅ  Ｐｒｉｎｔｅｄ  Ｃｉｒｃｕｉｔ）と略称され、ポリイミド又はポリエステルフィルムを基材として製造された高信頼性及び高可撓性のプリント基板であり、自由に曲げられ、折り曲げ性が高く、折り畳み、及び巻き付けが可能で、引き裂き抵抗性及び、配線密度が高く、軽量で、厚さが薄いなどの特徴を持つ。
【０００３】
図２は、従来の静電容量方式タッチスクリーンのＦＰＣの構成を示し、前記フレキシブル回路基板２’は、それぞれ、前記静電容量方式タッチパネル１’の前記誘導回路層、前記駆動回路層と接続される誘導回路接続領域５’、駆動回路接続領域６’を備え、前記誘導回路接続領域５’と前記駆動回路接続領域６’が互いに垂直に設置され、前記誘導回路接続領域５’と前記駆動回路接続領域６’は、それぞれ、前記誘導回路層、前記駆動回路層に嵌合して接続する複数の接点９’を有する。前記誘導回路接続領域５’と前記駆動回路接続領域６’との間にＩＣ駆動チップ４’が設置され、前記ＩＣ駆動チップ４’は通信端子８’を有し、通信端子８’が携帯電話などの通信デバイスに接続される。前記誘導回路接続領域５’、前記駆動回路接続領域６’は、それぞれ、前記静電容量方式タッチパネル１’の誘導回路層、駆動回路層に圧着して接続され、かつ対応する接点が接合する。上記のようなＦＰＣは、基材７’から断裁する場合、図３に示すように、その誘導回路接続領域５’と駆動回路接続領域６’が互いに垂直であるので、占用するスペースが大きく、コンパクトに配置しにくく、基材を大きく浪費し、コストが高い。
【発明の概要】
【発明が解決しようとする課題】
【０００４】
従って、本発明は、従来の技術における静電容量方式タッチスクリーンのＦＰＣが占用するスペースが大きく、基材にコンパクトに配置しにくく、基材を大きく浪費し、利用率が低く、コストが高いという課題を解決するために、スペースを節約し、基材にコンパクトに配置でき、基材の利用率を大幅に向上させ、コストを節約する静電容量方式タッチスクリーンのＦＰＣ及びその実装方法を提供する。
【課題を解決するための手段】
【０００５】
上記技術課題を解決するために、本発明は以下の技術手段を採用する。
【０００６】
静電容量方式タッチスクリーンのＦＰＣであって、それぞれ、静電容量方式タッチパネルの誘導回路層、駆動回路層に接続される誘導回路接続領域、駆動回路接続領域を備え、前記誘導回路接続領域と前記駆動回路接続領域は、それぞれ、前記誘導回路層、駆動回路層に嵌合して接続する複数の接点を有し、前記誘導回路接続領域と前記駆動回路接続領域との間にＩＣ駆動チップが設置され、前記誘導回路接続領域と前記駆動回路接続領域は、互いに平行に設置されるか又は同一の直線上に位置し、折り曲げ領域が前記駆動回路接続領域上の前記ＩＣ駆動チップの近傍に配置されている。前記ＦＰＣを前記静電容量方式タッチスクリーンへ組み込む時には、前記誘導回路接続領域又は前記駆動回路接続領域の一方を前記誘導回路層、又は前記駆動回路層の一方に接続し、前記折り曲げ領域内の折り曲げ箇所で前記ＦＰＣを折り曲げて、前記駆動回路接続領域又は前記誘導回路接続領域の他方を前記駆動回路層、又は前記誘導回路層の他方に接続できるように、前記駆動回路接続領域又は前記誘導回路接続領域の一方に向かって反転することができる。
【０００７】
上記静電容量方式タッチスクリーンのＦＰＣにおいて、前記折り曲げ領域は、前記接点を有しない。
【０００８】
前記ＦＰＣを折り曲げる前は、上記静電容量方式タッチスクリーンのＦＰＣにおいて、前記誘導回路接続領域と前記駆動回路接続領域の側辺のうち、前記接点が設置された側辺は同一直線上に位置し、前記接点（９）が設置されていない側辺は、前記接点（９）が設置された前記側辺以外の辺の別の線上に位置する。
【０００９】
上記静電容量方式タッチスクリーンのＦＰＣにおいて、前記誘導回路接続領域又は前記駆動回路接続領域が反転した後、前記誘導回路接続領域と前記駆動回路接続領域は垂直になる。
【００１０】
上記ＦＰＣを静電容量方式タッチスクリーンに実装する実装方法は、
前記ＦＰＣの誘導回路接続領域又は駆動回路接続領域を、前記静電容量方式タッチスクリーンの静電容量方式タッチパネルの誘導回路層又は駆動回路層に対応的に一体に圧着するステップ（ａ）と、
圧着していない前記駆動回路接続領域又は前記誘導回路接続領域を、前記誘導回路接続領域又は前記駆動回路接続領域の方へ反転し、反転した後の折り曲げ箇所を折り曲げ領域内に位置させ、そして、前記折り曲げ領域を前記駆動回路接続領域上の前記ＩＣ駆動チップの近傍に配置するステップ（ｂ）と、
反転した後の前記駆動回路接続領域又は前記誘導回路接続領域を、前記静電容量方式タッチパネルの前記駆動回路層又は前記誘導回路層に対応的に一体に圧着することで、前記ＦＰＣの実装を完了するステップ（ｃ）と、を含む。
【００１１】
上記実装方法において、前記ステップ（ａ）の前に、前記誘導回路接続領域及び前記駆動回路接続領域を平坦化するステップをさらに含む。
【００１２】
前記ステップ（ａ）において、前記誘導回路接続領域と前記駆動回路接続領域の側辺のうち、前記接点が設置された側辺は同一直線上に位置し、前記接点（９）が設置されていない側辺は、前記接点（９）が設置された前記側辺以外の辺の別の線上に位置する。
【発明の効果】
【００１３】
本発明の上記技術手段は、従来の技術に比べて、以下の利点を有する。
【００１４】
（ｉ）本発明に係る静電容量方式タッチスクリーンのＦＰＣは、その誘導回路接続領域と駆動回路接続領域が互いに平行に設置されるか又は同一の直線に位置し、前記ＦＰＣを前記静電容量方式タッチスクリーンへ組み込む時には、誘導回路接続領域又は駆動回路接続領域は、誘導回路接続領域を誘導回路層に接続し、かつ駆動回路接続領域を駆動回路層に接続するように、駆動回路接続領域又は誘導回路接続領域に向かって反転することができる。ＦＰＣ基板は自由に曲げられ、折り畳まれ、巻き付けられ、引き裂き抵抗性が高いなどの特徴を有するので、製品の貼り合わせの場合、ＦＰＣは、導線のように製品内部のスペースでのレイアウトに従って任意に配置でき、製品の貼り合わせ後の回路の正常な使用に影響しないとともに、このような構造のＦＰＣは、スペースを節約し、断裁時に基材にコンパクトに配置でき、基材の利用率を大幅に向上させ、１６０％前後向上させることができ、生産コストを大幅に節約する。
【００１５】
（ｉｉ）本発明に係る静電容量方式タッチスクリーンのＦＰＣは、その折り曲げ領域が駆動回路接続領域上であってＩＣ駆動チップ側の位置に設けられ、該構造のＦＰＣは折り曲げ操作しやすく、折り曲げた後に製品の要件を満たし、製品の品質を保証できる。
【００１６】
（ｉｉｉ）本発明に係る静電容量方式タッチスクリーンのＦＰＣは、一方では、折り曲げ領域が静電容量方式タッチパネルの誘導回路層又は駆動回路層と接触する必要がなく、接点を設置しないと、材料の浪費を回避し、コストを節約できる、他方では、折り曲げ領域に接点を設置しないと折り曲げ操作しやすいので、その折り曲げ領域は接点を有しない。
【００１７】
（ｉｖ）本発明に係る静電容量方式タッチスクリーンの実装方法は、駆動回路接続領域又は誘導回路接続領域を誘導回路接続領域又は駆動回路接続領域に垂直な方向へ反転するだけで、ＦＰＣの形態が静電容量方式タッチスクリーン製品の要件を満たすことができ、操作しやすく、コストを低減できる。
【図面の簡単な説明】
【００１８】
本発明の内容をより明瞭に理解しやすくするために、以下、本発明の具体的な実施形態および図面を組み合わせて、本発明をさらに詳細に説明する。
【図１】従来の静電容量方式タッチスクリーンの概略構成図である。
【図２】従来の静電容量方式タッチスクリーンにおけるＦＰＣの概略構成図である。
【図３】従来の静電容量方式タッチスクリーンのＦＰＣの基材での概略配置図である。
【図４】本発明の静電容量方式タッチスクリーンにおけるＦＰＣの概略構成図である。
【図５】図５（ａ）、（ｂ）は、本発明の静電容量方式タッチスクリーンにおけるＦＰＣの折り曲げ工程における概略構成図である。
【図６】本発明の静電容量方式タッチスクリーンのＦＰＣの基材での概略配置図である。
【発明を実施するための形態】
【００１９】
図４は、本発明の静電容量方式タッチスクリーンのＦＰＣの好ましい実施例を示し、ＦＰＣ（Ｆｌｅｘｉｂｌｅ  Ｐｒｉｎｔｅｄ  Ｃｉｒｃｕｉｔ）は、フレキシブル回路基板であり、フレキシブル基板とも略称される。
【００２０】
前記ＦＰＣ２は、それぞれ、静電容量方式タッチパネルの誘導回路層、駆動回路層に接続される誘導回路接続領域５と駆動回路接続領域６を備え、前記誘導回路接続領域５と前記駆動回路接続領域は、それぞれ、前記誘導回路層、駆動回路層に嵌合して接続する複数の接点９を有し、前記誘導回路接続領域５と前記駆動回路接続領域６との間にＩＣ駆動チップ４が設置され、前記ＩＣ駆動チップ４は通信端子８を有し、前記通信端子８は携帯電話などの通信デバイスに接続される。
【００２１】
前記ＦＰＣを前記静電容量方式タッチスクリーンへ組み込む前は、前記誘導回路接続領域５と前記駆動回路接続領域６は、互いに平行に設置されるか又は同一の直線に位置し、前記誘導回路接続領域５又は前記駆動回路接続領域６に折り曲げ領域１０が設置され、本実施例において、前記折り曲げ領域１０は、前記駆動回路接続領域６上であって前記ＩＣ駆動チップ４側の位置に設置され、前記折り曲げ領域１０は前記接点９を有しない。前記ＦＰＣを前記静電容量方式タッチスクリーンへ組み込む時には、前記誘導回路接続領域５又は前記駆動回路接続領域６は、前記誘導回路接続領域５を前記誘導回路層に接続し、かつ前記駆動回路接続領域６を前記駆動回路層に接続するように、前記駆動回路接続領域６又は前記誘導回路接続領域５に向かって反転することができ、図５（ａ）および図５（ｂ）に示すように、反転した後の折り曲げ箇所１１が前記折り曲げ領域１０内に位置する。本実施例において、折り曲げた後、前記誘導回路接続領域５と前記駆動回路接続領域６は垂直になり、前記誘導回路接続領域５はＹ方向に配置され、前記駆動回路接続領域６はＸ方向に配置される。
【００２２】
本実施例において、前記ＦＰＣを前記静電容量方式タッチスクリーンへ組み込む前は、前記誘導回路５と前記駆動回路６の側辺のうち、前記接点９が設置された側辺は同一直線上に位置し、前記接点（９）が設置されていない側辺は、前記接点（９）が設置された前記側辺以外の辺の別の線上に位置する。図６に示すように、本発明に係る静電容量方式タッチスクリーンのＦＰＣは、裁断の場合、占用するスペースが少なく、基材７にコンパクトに配置でき、基材からＦＰＣを裁断する場合の利用率を大幅に向上させ、生産コストを低減する。
【００２３】
上記ＦＰＣを静電容量方式タッチスクリーンに実装する実装方法は、以下のステップを含む。
【００２４】
（ａ）前記誘導回路接続領域５又は駆動回路接続領域６を、それぞれ、前記静電容量方式タッチスクリーンの前記静電容量方式タッチパネルの、対応する前記誘導回路層又は前記駆動回路層に一体的に圧着する。このとき、本実施例においては、まず前記駆動回路接続領域６を前記静電容量方式タッチパネルの前記誘導回路層に一体的に圧着する。
【００２５】
（ｂ）圧着していない前記駆動回路接続領域６又は前記誘導回路接続領域５を、前記誘導回路接続領域５又は前記駆動回路接続領域６の方へ反転し、反転した後の前記折り曲げ箇所１１を折り曲げ領域１０内に位置させる。このとき、本実施例においては、前記誘導回路接続領域５及び前記駆動回路接続領域６を十分に平坦化し、圧着していない前記誘導回路接続領域５を、前記駆動回路接続領域６に垂直な方向へ反転し、反転した後の前記折り曲げ箇所１１を折り曲げ領域１０内に位置させる。
【００２６】
（ｃ）反転した後の前記駆動回路接続領域６又は前記誘導回路接続領域５を、前記静電容量方式タッチパネルの前記駆動回路層又は前記誘導回路層に対応的に一体に圧着することで、前記ＦＰＣの実装を完了する。
このとき、本実施例においては、反転した後の前記誘導回路接続領域５を前記静電容量方式タッチパネルの前記駆動回路層に対応的に一体に圧着することで、前記ＦＰＣの実装を完了する。
【００２７】
別の実施例において、前記ステップ（ａ）の前に、前記誘導回路接続領域５及び前記駆動回路接続領域６を平坦化して、前記誘導回路接続領域５と前記駆動回路接続領域６をできるだけ同一の平面内に位置させるステップをさらに含む。
【００２８】
別の実施例において、誘導回路接続領域５及び駆動回路接続領域６の設置位置は、異なる製品のｓｅｎｓｏｒパネルのサンプルの設計図によって決められ、すなわち、折り曲げた後、誘導回路接続領域５は必要に応じてＸ方向に設置してもよく、駆動回路接続領域６はＹ方向に設置してもよい。
【００２９】
別の実施例において、実際の製品の要件に応じて、折り曲げ領域１０は誘導回路接続領域５上であってＩＣ駆動チップ４側の位置に設置してもよく、製品の要件を満たせばよい。
【００３０】
明らかに、上記実施例は、実施形態を制限するものではなく、説明を明確にするために例示したものに過ぎない。当業者であれば、上記説明を基に種々の変形または変更を行うことができる。ここで、全ての実施形態を列挙する可能性も必要性もない。これから導出した明らかな変形または変更は、本発明の保護範囲内に含まれるべきである。
【符号の説明】
【００３１】
１’        静電容量方式タッチパネル
２、２’    ＦＰＣ（フレキシブル回路基板）
３、３’    カバープレート
４、４’    ＩＣ駆動チップ
５、５’    誘導回路接続領域
６、６’    駆動回路接続領域
７          基材
８          通信端子
９、９’    接点
１０        折り曲げ領域
１１        折り曲げ箇所
【図１】
0006731343.tif 000002
【図２】
0006731343.tif 000003
【図３】
0006731343.tif 000004
【図４】
0006731343.tif 000005
【図５】
0006731343.tif 000006
【図６】
0006731343.tif 000007